(57)【要約】【課題】手足温浴装置として、構造的に簡素であって製作の手間及び資材コストを低減でき、安全性に優れ、手浴槽と足浴槽を繋ぐオーバーフロー管の清掃が非常に容易であり、高い衛生状態を維持できるものを提供する。【解決手段】上下に離間して配置する手浴槽１及び足浴槽２と、ヒーター３にて加熱した温湯Ｈを手浴槽１へ送り、手浴槽１から溢流させて足浴槽２へ流下させ、足浴槽２からフィルター４を経てヒーター３へ戻す循環湯路５と、循環湯路５に介在するポンプＰとを備え、手浴槽１が足浴槽２の後部左右両側に立設したパイプ支柱６にて支持され、両パイプ支柱６内が手浴槽から足浴槽へのオーバーフロー管路５２を構成する。パイプ支柱６は、上部側が前方へ湾曲し、湾曲部６０から前端６ａに至る直線部６１が略半割パイプ状をなし、直線部６１において手浴槽１の左右側壁部１ｃ，１ｃに各々固着され、直線部６１の内側が手浴槽１内に開放して溢流口５２ａを形成してなる。【選択図】図１
2015173958.tif 000002
【特許請求の範囲】
【請求項１】
上下に離間して配置する手浴槽及び足浴槽と、ヒーターにて加熱した温湯を手浴槽へ送り、該手浴槽から溢流させて足浴槽へ流下させ、該足浴槽からフィルターを経てヒーターへ戻す循環湯路と、この循環湯路に介在して温湯を循環させるポンプとを備え、
前記手浴槽が前記足浴槽の後部左右両側に立設したパイプ支柱にて支持され、両パイプ支柱内が手浴槽から足浴槽へのオーバーフロー管路を構成し、
両パイプ支柱は、上部側が前方へ湾曲し、その湾曲部から前端に至る直線部が半割パイプ状をなし、該直線部において手浴槽の左右側壁部に各々固着されると共に、該直線部の内側が手浴槽内に開放して溢流口を形成してなる手足温浴装置。
【請求項２】
前記の両パイプ支柱は、下部側に上下方向に沿って下端に至る切欠部を有し、この切欠部において足浴槽の後側左右角縁部に各々固着されると共に、該切欠部が足浴槽内に開放して流入口を形成してなる請求項１に記載の手足温浴装置。
【請求項３】
前記ヒーターは、筒状の加熱タンク内に挿入された片側端子型シーズヒーターからなり、該加熱タンクの一端側に着脱自在に嵌装される蓋板に取り付けられ、該蓋板と一体に加熱タンクから抜出可能に構成されてなる請求項１又は２に記載の手足温浴装置。
【発明の詳細な説明】
【技術分野】
【０００１】
本発明は、利用者が椅子に座った状態で手足を温湯に浸すことにより、血行促進作用や発汗作用が効果的に得られるようにした手足温浴装置に関する。
【背景技術】
【０００２】
一般的に、温浴によって手足を温めることは、発汗作用を促して体内の老廃物を排出し、また血液の循環を良くして身体機能を活性化させるのに非常に有効であり、加えてサウナ風呂のような心肺機能への負担も少ないため、健常者は無論のこと、高齢者や病弱者にとっても安心して利用できる健康増進手段である。
【０００３】
従来、このような温浴用の装置として、利用者が椅子に座った楽な姿勢で手足を温湯に浸して温浴効果を得るように、架台の上部に手浴槽、下部に足浴槽を設け、ヒーターで加熱した温湯をポンプによって手浴槽へ送り、該手浴槽から溢流させて足浴槽へ導入し、この足浴槽から導出してヒーターへ戻す循環湯路を備えた手足温浴装置が知られている（特許文献１〜３）。
【先行技術文献】
【特許文献】
【０００４】
【特許文献１】特開２００１−６１９４１号公報（図１２）
【特許文献２】実用新案登録第３１２４５１５号公報
【特許文献３】実用新案登録第３１３０６６６号公報
【発明の概要】
【発明が解決しようとする課題】
【０００５】
しかしながら、従来の手足温浴装置では、架台に手浴槽及び足浴槽を取り付け、更に両浴槽間を繋ぐオーバーフロー管を設けるために、多大な手間を要すると共に資材コストも高く付き、また利用者が迂闊に架台のフレームに手足を当てて怪我をする懸念もあることに加え、手浴槽の下側空間に利用者が膝を入れるを妨げないように、オーバーフロー管は両浴槽の側面部間又は後面部間に外付けするのが普通であるが、この外付けのために上下部で二段に曲折した管形態になることから、定期的な清掃に際して管内に洗浄ブラシを通しにくく、清掃作業に困難をきたす上に管内に汚れが残り易いという問題があった。
【０００６】
本発明は、上述の事情に鑑みて、手足温浴装置として、構造的に簡素であって製作の手間及び資材コストを低減でき、利用者が架台のフレームで怪我する懸念もない上、手浴槽と足浴槽を繋ぐオーバーフロー管の清掃が非常に容易であり、その管内の汚れを確実に除去でき、もって高い衛生状態を維持できるものを提供することを目的としている。
【課題を解決するための手段】
【０００７】
上記目的を達成するための手段を図面の参照符号を付して示せば、請求項１の発明に係る手足温浴装置は、上下に離間して配置する手浴槽１及び足浴槽２と、ヒーター３にて加熱した温湯Ｈを手浴槽１へ送り、該手浴槽１から溢流させて足浴槽２へ流下させ、該足浴槽２からフィルター４を経てヒーター３へ戻す循環湯路５と、この循環湯路５に介在して温湯を循環させるポンプＰとを備え、手浴槽１が足浴槽２の後部左右両側に立設したパイプ支柱６にて支持され、両パイプ支柱６内が手浴槽から足浴槽へのオーバーフロー管路５２を構成し、両パイプ支柱６，６は、上部側が前方へ湾曲し、その湾曲部６０から前端６ａに至る直線部６１が略半割パイプ状をなし、該直線部６１において手浴槽１の左右側壁部１ｃ，１ｃに各々固着されると共に、該直線部６１の内側が手浴槽１内に開放して溢流口５２ａを形成してなる。
【０００８】
請求項２の発明は、上記請求項１の手足温浴装置において、両パイプ支柱６，６は、下部側に上下方向に沿って下端６ｂに至る切欠部６２を有し、この切欠部６２において足浴槽２の後側左右の角縁部２ｆ，２ｆに各々固着されると共に、該切欠部６２が足浴槽２内に開放して流入口５２ｂを形成してなるものとしている。
【０００９】
請求項３の発明は、上記請求項１又は２の手足温浴装置おいて、ヒーター３は、筒状の加熱タンク３０内に挿入された片側端子型シーズヒーターからなり、該加熱タンク３０の一端側に着脱自在に嵌装される蓋体３１に取り付けられ、該蓋体３１と一体に加熱タンク３０から抜出可能に構成されてなるものとしている。
【発明の効果】
【００１０】
次に、本発明の効果について図面の参照符号を付して説明する。まず、請求項１の発明に係る手足温浴装置では、足浴槽２の後部左右両側に立設されて手浴槽１を支持するパイプ支柱６がオーバーフロー管路５２を構成するから、従来のような両浴槽を取り付ける架台を必要とせず、それだけ製作の手間及び資材コストが低減され、また架台の役割を担うパイプ支柱６は単なる丸パイプで構成できる上に後部側に位置するため、利用者が不用意に手足を当てて怪我をする心配もなく使用上の安全性に優れる。しかも、該パイプ支柱６は、上部側が前方へ湾曲し、その湾曲部６０から前端６ａに至る略半割パイプ状の直線部６１において手浴槽１の側壁部１ｃに固着され、該直線部６１の内側が手浴槽１内に開放して溢流口５２ａを形成するから、定期的な清掃に際し、該溢流口５２ａより管内の下端まで洗浄ブラシを無理なく挿通して擦り動かすことができ、もって清掃作業を容易に能率よく行え、管内の汚れを確実に除去できる。更に、左右のパイプ支柱６，６が前方へ延びる両直線部６１，６１によって手浴槽１を左右両側から抱え込むように支持するから、該手浴槽１は後方からの片持ち状態でも充分な支持強度が得られる。
【００１１】
請求項２の発明によれば、両パイプ支柱６，６の下部側が足浴槽２の構造的に高強度な後側左右両隅部２ｆ，２ｆに各々固着されているから、該足浴槽２における各パイプ支柱６の立設強度を充分に確保でき、利用者が手浴槽１上に上半身を凭せ掛けても各パイプ支柱６は揺るぎなく、利用者に不安感を与える懸念がない。
【００１２】
請求項３の発明によれば、ヒーター３が筒状の加熱タンク３０内に挿入された片側端子型シーズヒーターであり、該ヒーター３を蓋体３１と一体に加熱タンク３０から抜出できるから、最も汚れが付着蓄積し易い該ヒーター３及び加熱タンク３０内を前記抜出した状態で容易に清掃できるという利点がある。
【図面の簡単な説明】
【００１３】
【図１】本発明の一実施形態に係る手足温浴装置の側面図である。
【図２】同手足温浴装置の平面図である。
【図３】同手足温浴装置の手浴槽及び足浴槽の左側部分を示す斜視図である。
【図４】同手足温浴装置の手浴槽の要部を示し、（ａ）は横断平面図、（ｂ）は縦断正面図である。
【図５】同手足温浴装置の足浴槽の要部を示し、（ａ）は横断平面図、（ｂ）は縦断正面図である。
【図６】同手足温浴装置における温湯調製機構部をヒーターの抜出状態で示す平面図である。
【図７】同温湯調製機構部をフィルター筒の開放状態で示す平面図である。
【図８】同手足温浴装置による温浴状態を示す縦断側面図である。
【発明を実施するための形態】
【００１４】
以下に、本発明に係る手足温浴装置の実施形態について、図面を参照して具体的に説明する。なお、図示の実施形態では、３人の利用者が同時に手足温浴を行える３人用の手足温浴装置を例示している。
【００１５】
図１及び図２に示すように、この手足温浴装置は、上下に離間して配置する手浴槽１及び足浴槽２、温湯を調製するヒーター３、温湯中の汚れ及び異物を濾過除去するフィルター４、温湯の循環湯路５、足浴槽２の後部左右両側に立設されて手浴槽１を支持するパイプ支柱６，６、循環湯路５に温湯を強制循環させるポンプＰより構成される。そして、手浴槽１及び足浴槽２の手前には、利用者が腰掛けた姿勢で手足温浴を行えるように、３つの椅子７が置かれている。
【００１６】
手浴槽１及び足浴槽２は、全体がステンレス鋼製であって、若干前傾した前壁部１ａ，２ａ、垂直な後壁部１ｂ，２ｂ、垂直な左右の側壁部１ｃ，２ｃ、水平な底壁部１ｄ，２ｄからなる左右に長い箱状をなしている。これら両浴槽１，２は左右の長さが同じであるが、手浴槽１は足浴槽２よりも前後及び上下の寸法が小さく、且つ該手浴槽１の前縁が足浴槽２の前縁よりも若干前方に位置している。そして、手浴槽１の上面側は、前方に低く緩傾斜しており、後壁部１ｂに連続する狭幅の上壁部１ｅの前縁にヒンジ１１を介して、１枚のやや広幅な蓋板１２Ａとその両側２枚の狭幅な蓋板１２Ｂ，１２Ｂとを一組として３人分の三組が開閉自在に枢着されている。また、足浴槽２の上面側は、手浴槽１と同様に前方に低く緩傾斜しており、後壁部２ｂに連続する狭幅の上壁部２ｅの前縁にヒンジ２１を介して、３人用として３枚の広幅な蓋板２２が開閉自在に枢着されている。これら手浴槽１及び足浴槽２の蓋板１２Ａ，１２Ｂ，２２は、その閉鎖状態において、両浴槽１，２の前端上縁に沿って溶接固着された径小パイプ１３、２３に対し、開く際の手掛りとなるように上反りした前縁部で当接している。
【００１７】
循環湯路５は、ヒーター３にて加熱された温湯を手浴槽１の左右方向中央下部に導入する給湯管路５１、手浴槽１より溢流する温湯を足浴槽２へ流下させる両パイプ支柱６，６内のオーバーフロー管路５２，５２、足浴槽２の底部中央位置から使用済み湯水を抜き出す排出管路５３、この排出管路５３からポンプＰを介して使用済み湯水をフィルター４へ送る浄化用管路５４、フィルター４からの浄化湯水をヒーター３へ戻す再生管路５５より構成されている。そして、給湯管路５１には温度センサーＳが設置されると共に、排出管路５３のポンプＰの手前には手動式の開閉弁Ｖが介装されている。なお、循環湯路５の管路５１〜５５にはステンレス鋼製のパイプ材が使用されており、オーバーフロー管路５２，５２を除く管路５１，５３〜５５の各パイプ材は接続相手側のパイプ部に対してフランジ付き端部同士でクランプバンド８Ａを介して着脱可能に連結されている。また、ヒーター３及びフィルター４とポンプＰは、給湯機構として矩形基枠９上にまとめて設置されている。
【００１８】
両パイプ支柱６，６は、図３でも示すように、上部側が前方へ湾曲し、その湾曲部６０から閉塞した前端６ａに至る前後方向の直線部６１が略半割パイプ状をなし、該直線部６１において手浴槽１の左右側壁部１ｃ，１ｃに各々溶接固着されている。そして、図４（ａ）（ｂ）で示すように、手浴槽１の側壁部１ｃは固着したパイプ支柱６の直線部６１の内側が切除され、これによって該直線部６１の内側が手浴槽１内に開放する溢流口５２ａを形成している
【００１９】
一方、両パイプ支柱６，６の垂直な下部側は、その閉塞した下端６ｂから所定長さにわたり、略１／４周幅で上下方向に沿う切欠部６２を有しており、この切欠部６２において足浴槽２の後側左右の角縁部２ｆ，２ｆに溶接固着されている。そして、図５（ａ）（ｂ）で示すように、足浴槽２の後側左右の角縁部２ｆは固着したパイプ支柱６の切欠部６２の内側が切除されており、もって該切欠部６２が足浴槽２内に開放して流入口５２ｂを形成している。
【００２０】
また、左右の両パイプ支柱６，６の中間部間には細径パイプ材からなる補強桟６３が架設されており、足浴槽２の蓋板２２を開放した際、図８に示すように該蓋板２２が補強桟６３にもたせ掛かるように設定されている。なお、手浴槽１の蓋板１２Ａ，１２Ｂは、図２及び図８に示すように、開放した際に上壁部１ｅ上に重なる形で先端側が後方へ張出するようになっている。
【００２１】
ヒーター３は、図６に示すように、ステンレス鋼製で横円筒状の加熱タンク３０内に挿入されたヒーター本体部３ａが単管状をなす片側端子型シーズヒーターからなり、その端子側３ｂにおいて該加熱タンク３０の一端側にクランプバンド８Ｂを介して着脱自在に嵌装された蓋体３１に取り付けられており、図示の如く該蓋体３１と一体に加熱タンク３０から抜出可能に構成されている。また、加熱タンク３０は、その両端部近傍でクランプバンド８Ｃを介して矩形基枠９の取付部９１（図１参照）に取外し可能に固定されている。そして、該ヒーター３は、図示省略した制御装置により、温度センサーＳによる湯温の測定値からフィードバックする形で加熱度合を電気的に制御し、もって手浴槽１へ設定温度の湯水を供給するように構成されている。
【００２２】
フィルター４は、図７に示すように、ステンレス鋼製で縦円筒状のケーシング４０内に、円筒状に成形された濾過材４１が同心状に装填されている。そして、浄化用管路５４から導入される使用済み湯水は、ケーシング４０と濾過材４１との間の環状空間４２に流入し、次いで該濾過材４１を透過することで髪の毛や体毛、繊維屑等の混入異物が除去された浄化湯水として中心孔部４３に入り、この中心孔部４３より再生管路５５を通ってヒーター３の加熱タンク３０内へ供給される。なお、ケーシング４０は、内部の濾過材４１を交換できるように、クランプバンド８Ｄを介して着脱可能な蓋体４０ａ（図１参照）を備えている。
【００２３】
このような手足温浴装置では、ポンプＰの稼働により、ヒーター３にて設定温度に加熱された温湯Ｈが給湯管路５１を通して手浴槽１内に供給され、この手浴槽１内で定レベルを越えた温湯Ｈが左右の各溢流口５２ａよりパイプ支柱６内のオーバーフロー管路５２へ流出し、該オーバーフロー管路５２を流下した温湯Ｈが左右の各流入口５２ｂより足浴槽２内へ導入されるから、準備段階として該足浴槽２内の温湯Ｈが所定レベルに達するまで排出管路５３の開閉弁Ｖを閉止しておく。そして、該足浴槽２内に所定量の温湯Ｈが溜まった段階で開閉弁Ｖを開放し、循環湯路５全体に温湯Ｈを所定流量で循環させることにより、手浴槽１内には常に浄化された一定温度の温湯Ｈが供給され、足浴槽２内の温湯Ｈも一定温度に保たれる。
【００２４】
温浴の利用者は、図８に示すように、椅子７に腰掛けた状態で両手と両足を手浴槽１及び足浴槽２の温湯Ｈに浸すが、手浴槽１側では中央の広幅の蓋板１２Ａを開かずに、その上に置いた枕状のクッションＣに頭部を載せ、左右両側の狭幅の蓋板１２Ｂ，１２Ｂを開いて両手を該手浴槽１内に差し入れることで、安楽な姿勢を確保できる。なお、椅子７として座部７ａを電熱で加温できるものを用いれば、両手両足と共に腰部も温めることができるから、より高い温熱効果が得られる。また、温浴効果をより高めるために、温湯Ｈに有機ゲルマニウム等の浴剤を加えてもよい。
【００２５】
上記構成の手足温浴装置では、足浴槽２の後部左右両側に立設されて手浴槽１を支持するパイプ支柱６がオーバーフロー管路５２を兼用するから、従来のような両浴槽を取り付けるための架台を必要とせず、それだけ製作の手間及び資材コストが低減される。また、架台の役割を担うパイプ支柱６は、単なる丸パイプで構成できる上、両浴槽１，２の後部側に位置するため、利用者が不用意に手足を当てて怪我をする心配もない。従って、この手足温浴装置は使用上の安全性に優れる。
【００２６】
しかも、該パイプ支柱６は、上部側が前方へ湾曲し、その湾曲部６０から前端６ａに至る略半割パイプ状の直線部６１において手浴槽１の側壁部１ｃに固着され、該直線部６１の内側が手浴槽１内に開放して溢流口５２ａを形成するから、定期的な清掃に際し、該溢流口５２ａより管内の下端まで洗浄ブラシを無理なく挿通して擦り動かすことができ、もって清掃作業を容易に能率よく行えると共に、管内の汚れを確実に除去できるという利点がある。
【００２７】
更に、左右のパイプ支柱６，６が前方へ延びる両直線部６１，６１によって手浴槽１を左右両側から抱え込むように支持するから、該手浴槽１は後方からの片持ち状態でも充分な支持強度が得られる。また、両パイプ支柱６，６の下部側は、足浴槽２の後側左右両隅部２ｆ，２ｆ、つまり後壁部２ｂと側壁部２ｃの境界として構造的に高強度な部位に各々固着されているから、該足浴槽２における各パイプ支柱６の立設強度を充分に確保できる。従って、利用者が手浴槽１上に上半身を凭せ掛けても各パイプ支柱６は揺るぎなく、両浴槽１，２と両パイプ支柱６，６とで頑丈な構体をなすから、利用者に不安感を与える懸念がない。
【００２８】
本発明の手足温浴装置では、ヒーター３として様々な加熱方式及び形態のものを採用できるが、特に実施形態のように加熱タンク３０の蓋体３１に端子側３ｂを固定した片側端子型シーズヒーターを用いれば、蓋体３１と一体に加熱タンク３０から抜出できるから、最も汚れが付着蓄積し易い該ヒーター３及び加熱タンク３０内を容易に清掃できるという利点がある。なお、このような片側端子型シーズヒーターとしては、ヒーター本体部３ａが例示した単管状のものに限らず、Ｕ字管状のものや複数本の直管が平行配置したものも使用可能である。
【００２９】
また、本発明は、実施形態で例示した３人用に限らず、一人用や二人用として手浴槽１及び足浴槽２の左右長さが短い手足温浴装置、更には４人以上が同時に温浴できる対面式を含む大型の手足温浴装置にも同様に適用可能である。その他、本発明においては、手浴槽１及び足浴槽２の配置、両浴槽１，２における蓋板の分割構成と取付構造、フィルター４の内部構造及び形態、循環湯路５の配管構成、該循環湯路５におけるヒーター３及びフィルター４とポンプＰの介装位置等、細部構成については実施形態以外に種々設計変更可能である。
【符号の説明】
【００３０】
１        手浴槽
１ｃ      側壁部
２        足浴槽
２ｆ      角縁部
３        ヒーター
３ａ      端子側
３０      加熱タンク
３１      蓋体
４        フィルター
５        循環湯路
５２      オーバーフロー管路
５２ａ    溢流口
５２ｂ    流入口
６        パイプ支柱
６ａ      前端
６ｂ      下端
６０      湾曲部
６１      直線部
６２      切欠部
Ｈ        温湯
Ｐ        ポンプ
【図１】
2015173958.tif 000003
【図２】
2015173958.tif 000004
【図３】
2015173958.tif 000005
【図４】
2015173958.tif 000006
【図５】
2015173958.tif 000007
【図６】
2015173958.tif 000008
【図７】
2015173958.tif 000009
【図８】
2015173958.tif 000010